(57)【要約】【課題】様々な場所で簡単に構築できるヒートポンプシステムを提供する。【解決手段】ヒートポンプシステム１は、本体ユニット２を備えている。本体ユニット２は、筐体２０、流入口２２、ヒートポンプ部２１、及び供給口２３を備えている。流入口２２及び供給口２３は、筐体２０の側面に設けられている。流入口２２には、水圧が加えられた水８１が流入する。ヒートポンプ部２１は、流入口２２から供給される水８１を熱交換によって加熱する。供給口２３は、ヒートポンプ部２１によって水８１が加熱された温水を、本体ユニット２の外部に供給する。【選択図】図１
2017194190.tif 000002
【特許請求の範囲】
【請求項１】
熱交換によって水を加熱又は冷却するヒートポンプシステムであって、
水圧が加えられた水が流入する流入口を有する本体ユニットと、
前記本体ユニットに設けられ、前記流入口から供給される前記水を、熱交換によって加熱又は冷却するヒートポンプ部と、
前記ヒートポンプ部によって加熱又は冷却された前記水を、前記本体ユニットの外部に供給する供給口と
を備えたことを特徴とするヒートポンプシステム。
【請求項２】
前記本体ユニットに設けられ、前記流入口に接続された第一流路と、
前記本体ユニットに設けられ、前記ヒートポンプ部が有する第一熱交換器に接続される第二流路と、
前記本体ユニットに設けられ、前記ヒートポンプ部が有する第二熱交換器に接続される第三流路と、
前記本体ユニットに設けられ、前記第一流路を、前記第二流路と前記第三流路とに分岐させる分岐部と
を備えたことを特徴とする請求項１に記載のヒートポンプシステム。
【請求項３】
前記本体ユニットにおいて、前記第一流路、前記第二流路、及び前記第三流路のうちの少なくとも１つの流路に設けられた電動弁と、
前記本体ユニットに設けられ、前記電動弁を制御し、前記水の流量を調整する電動弁制御部と
を備えたことを特徴とする請求項２に記載のヒートポンプシステム。
【請求項４】
前記供給口から供給された前記水が使用された後の排水を利用して、熱交換によって、前記ヒートポンプ部に供給される前記水を加熱又は冷却する熱交換部を備えたことを特徴とする請求項１から３のいずれかに記載のヒートポンプシステム。
【請求項５】
前記排水を前記熱交換部に供給する流路であって、前記熱交換部に向かうほど、重力方向に位置するように傾く排水供給路を備えたことを特徴とする請求項４に記載のヒートポンプシステム。
【請求項６】
前記本体ユニットに設けられ、前記水の温度の設定情報を取得する操作部と、
前記操作部によって取得された前記温度の設定情報に基づいて、前記ヒートポンプ部による加熱又は冷却の温度制御を行なう温度制御部と
を備えたことを特徴とする請求項１から５のいずれかに記載のヒートポンプシステム。
【発明の詳細な説明】
【技術分野】
【０００１】
本発明は、水を加熱又は冷却可能なヒートポンプシステムに関する。
【背景技術】
【０００２】
従来、水を加熱又は冷却可能なヒートポンプシステムが知られている。例えば、特許文献１に記載のヒートポンプ式給湯器は、給湯水を貯留する貯湯タンク、貯湯タンク内の給湯水を循環させる水循環回路、および、給湯水を加熱するためのヒートポンプサイクル等を備えている。水循環回路には、給湯水を循環させる水圧送手段としての水循環ポンプが設けられている。水循環ポンプは、貯湯タンクから流出した給湯水を吸入して、ヒートポンプサイクルの水―冷媒熱交換器の水通路へ給湯水を圧送する電動式の水ポンプである。
【先行技術文献】
【特許文献】
【０００３】
【特許文献１】特開２０１１−８０６２９号公報
【発明の概要】
【発明が解決しようとする課題】
【０００４】
しかしながら、上記従来のヒートポンプ式給湯器は、水循環ポンプを装置内部に備えているため、ヒートポンプ式給湯器が大型化し、かつ、重量も重くなる。このため、持ち運びに適さず、ヒートポンプ式給湯器を持ち運んで様々な場所で使用することはできなかった。
【０００５】
本発明の目的は、様々な場所で簡単に構築できるヒートポンプシステムを提供することである。
【課題を解決するための手段】
【０００６】
本発明に係るヒートポンプシステムは、熱交換によって水を加熱又は冷却するヒートポンプシステムであって、水圧が加えられた水が流入する流入口を有する本体ユニットと、前記本体ユニットに設けられ、前記流入口から供給される前記水を、熱交換によって加熱又は冷却するヒートポンプ部と、前記ヒートポンプ部によって加熱又は冷却された前記水を、前記本体ユニットの外部に供給する供給口とを備えている。
【０００７】
この場合、水圧が加えられた水が流入する流入口が本体ユニットに設けられ、流入口から供給された水が加熱又は冷却される。このため、本体ユニットに、例えば、ポンプ等、水に圧力を加えてヒートポンプ部及び供給口に導く構成を設ける必要がない。よって、本体ユニットを小型化及び軽量化することができる。故に、使用者は本体ユニットを持ち運び易くなり、様々な場所で簡単にヒートポンプシステムを構築できる。よって、使用者の利便性が向上する。
【０００８】
前記ヒートポンプシステムは、前記本体ユニットに設けられ、前記流入口に接続された第一流路と、前記本体ユニットに設けられ、前記ヒートポンプ部が有する第一熱交換器に接続される第二流路と、前記本体ユニットに設けられ、前記ヒートポンプ部が有する第二熱交換器に接続される第三流路と、前記本体ユニットに設けられ、前記第一流路を、前記第二流路と前記第三流路とに分岐させる分岐部とを備えてもよい。
【０００９】
この場合、１つの流入口から本体ユニットに流入した水が、第一流路を通って、分岐部において第二流路と第三流路とに分岐される。そして、第一熱交換器と第二熱交換器とに供給され、水の加熱又は冷却が行なわれる。すなわち、１つの流入口から本体ユニットに水を流入させるだけで、水が分岐されて第一熱交換器と第二熱交換器とに供給される。このため、１つの流入口に、外部から水の流路を接続すればよい。よって、２つ以上の流入口に外部から水の流路を接続する場合に比べて、本体ユニットを使用して、簡単にヒートポンプシステムを構築できる。故に、使用者の利便性が向上する。
【００１０】
前記ヒートポンプシステムは、前記本体ユニットにおいて、前記第一流路、前記第二流路、及び前記第三流路のうちの少なくとも１つの流路に設けられた電動弁と、前記本体ユニットに設けられ、前記電動弁を制御し、前記水の流量を調整する電動弁制御部とを備えてもよい。
【００１１】
この場合、本体ユニットに電動弁が設けられ、電動弁制御部によって流量が調整される。このため、本体ユニットの外部に電動弁と、電動弁制御部が設けられる場合に比べて、本体ユニットを使用して、簡単にヒートポンプシステムを構築できる。よって、使用者の利便性が向上する。
【００１２】
前記ヒートポンプシステムは、前記供給口から供給された前記水が使用された後の排水を利用して、熱交換によって、前記ヒートポンプ部に供給される前記水を加熱又は冷却する熱交換部を備えてもよい。
【００１３】
この場合、ヒートポンプ部に供給される前に、水が加熱又は冷却される。このため、ヒートポンプ部が水を加熱又は冷却する場合の消費電力が低減される。よって、ヒートポンプシステムの運営コストが低減される。また、排水を利用して、熱交換によって水が加熱又は冷却されるので、排水そのものを循環させる場合に比べて、清潔である。
【００１４】
前記ヒートポンプシステムは、前記排水を前記熱交換部に供給する流路であって、前記熱交換部に向かうほど、重力方向に位置するように傾く排水供給路を備えてもよい。この場合、重力を利用して、排水を熱交換部に供給して、水の加熱又は冷却に使用することができる。よって、排水を熱交換部に供給するために別途ポンプ等を設ける場合に比べて、ヒートポンプシステムのコストを低減することができる。
【００１５】
前記ヒートポンプシステムは、前記本体ユニットに設けられ、前記水の温度の設定情報を取得する操作部と、前記操作部によって取得された前記温度の設定情報に基づいて、前記ヒートポンプ部による加熱又は冷却の温度制御を行なう温度制御部とを備えてもよい。
【００１６】
この場合、本体ユニットに操作部が設けられている。このため、本体ユニットとは別に操作部を設置する場合に比べて、より簡単にヒートポンプシステムを構築することができる。よって、使用者の利便性が向上する。
【図面の簡単な説明】
【００１７】
【図１】ヒートポンプシステム１の構成を示す図である。
【図２】ヒートポンプ部２１の構成を示す図である。
【発明を実施するための形態】
【００１８】
以下、本発明を具現化したヒートポンプシステム１について説明する。まず、図１を参照し、ヒートポンプシステム１の概要について説明する。図１に示すヒートポンプシステム１は、足を温水につけて楽しむ足湯を提供するシステムである。
【００１９】
図１に示すように、ヒートポンプシステム１には、ポンプシステム９から水８１が供給される。ポンプシステム９は、ポンプ９１、流路９２１，９２２、コントロールユニット９３、及び手動弁９４を備えている。ポンプ９１は、井戸９８の水８１の中に配置されている。ポンプ９１は、流路９２１を介して、コントロールユニット９３に接続されている。流路９２２は、コントロールユニット９３と、ヒートポンプシステム１の熱交換器３（後述）との間に配置されている。手動弁９４は、流路９２２に設けられている。コントロールユニット９３は、ポンプ９１を制御して、井戸９８の水８１を吸引し、ヒートポンプシステム１に供給する。ポンプシステム９からヒートポンプシステム１に供給される水８１には、ポンプシステム９によって水圧が加えられている。
【００２０】
ヒートポンプシステム１は、本体ユニット２、熱交換器３、電源ボックス４、浴槽３１、及び排水供給路６を備えている。電源ボックス４は、本体ユニット２等に電力を供給する。熱交換器３は、後述する排水８５を利用して、熱交換によって水８１を温める。熱交換器３においては、排水８５と水８１とは混合されず、水８１より温度が高い排水８５から、水８１に温度が伝達される。熱交換器３には、種々の熱交換器を用いることができる。例えば、熱交換器３は、バケツ等の槽型の容器に排水８５を貯留し、該容器の中に温度を伝達可能なホース状の流路を配置し、該流路に水８１を流す態様のものであってもよい。また、熱交換器３は、プレート式熱交換器又はシェル＆チューブ型熱交換器、投げ込み式熱交換等であってもよい。
【００２１】
本体ユニット２は、筐体２０、ヒートポンプ部２１、流入口２２、供給口２３、制御部２４、操作パネル２５、流路２８１，２８２，２８３，２８４，２８５、及び電動弁２９２，２９４を備えている。筐体２０は、一例として長方体状の外観を有し、本体ユニット２の外装を形成する。本体ユニット２には、図示しない取っ手が設けられている。使用者は、取っ手を把持して本体ユニット２を持ち運ぶことができる。
【００２２】
流入口２２は、筐体２０の側面に設けられている。熱交換器３は、流路６１を介して流入口２２に接続されている。流入口２２には、流路６１を介して、熱交換器３からの水８１が流入する。すなわち、流入口２２には、ポンプシステム９によって水圧が加えられた水が流入する。
【００２３】
筐体２０の内側において、流入口２２には、流路２８１が接続されている。流路２８１は、分岐部２８８に接続されている。分岐部２８８から、流路２８２及び流路２８３が延びる。すなわち、分岐部２８８は、流路２８１を、流路２８２と流路２８３とに分岐させる。流路２８２は、ヒートポンプ部２１が有する冷媒−水熱交換器２１３に接続されている。流路２８３は、ヒートポンプ部２１が有する冷媒−水熱交換器２１５に接続されている。冷媒−水熱交換器２１３には、流路２８５が接続されている。流路２８５には、電動弁２９２が設けられている。
【００２４】
流路２８５は、本体ユニット２の外部に延びる。流路２８５は、ヒートポンプ部２１による熱交換に使用された排水が排出される流路である。冷媒−水熱交換器２１５には、流路２８４が接続されている。流路２８４には、電動弁２９４が設けられている。電動弁２９２，２９４は、流路の開閉のみが行なわれる電動弁であってもよいし、流量をより正確に制御できる比例電動弁であってもよい。流路２８４は、供給口２３に接続されている。ヒートポンプ部２１においては、熱交換によって、水８１が加熱されるが、詳細については後述する。
【００２５】
制御部２４は、筐体２０の内側に設けられた電子回路である。制御部２４は、ＣＰＵ、ＲＯＭ、ＲＡＭ、及びその他の回路を含む。制御部２４は、本体ユニット２による温水の供給を制御する。制御部２４には、ヒートポンプ部２１、操作パネル２５、電動弁２９２，２９４、及び温度センサ２７，３０１〜３０３が電気的に接続されている。
【００２６】
操作パネル２５は、筐体２０の表面に配置されている。操作パネル２５は、使用者によって入力される水８１の温度の設定情報を取得する。温度センサ２７は、本体ユニット２の外部に配置された浴槽３１内に配置されている。制御部２４は、温度センサ２７を使用して、浴槽３１の温水８３の温度を取得する。温度センサ３０１は、流路２８１に設けられている。温度センサ３０２は、流路２８５に設けられている。温度センサ３０３は流路２８４に設けられている。制御部２４は、温度センサ３０１〜３０３の検出温度に基づいて、流路２８１、流路２８５、流路２８４を流れる水８１及び温水の温度を取得する。以下の説明では、温度センサ３０１，３０２，３０３の検出温度に基づく、流路２８１，２８５，２８４を流れる水８１及び温水の温度を、温度３０１，３０２，３０３という場合がある。
【００２７】
供給口２３は、本体ユニット２の外部の流路３５に接続されている。流路３５は、浴槽３１に温水８３を供給する。図示しないが、浴槽３１の周囲には、足湯の利用者が座ることができるベンチ等が設けられている。足湯の利用者は、ベンチに座り、素足を浴槽３１内の温水８３につける。これによって、利用者は足湯を楽しむことができる。
【００２８】
浴槽３１の側壁の上部には、排水口３２が設けられている。浴槽３１に貯留された温水８３は、排水口３２から浴槽３１の外部に流出する。排水口３２の下側には、排水供給路６が設けられている。排水供給路６は、熱交換器３に接続されている。排水供給路６は、熱交換器３に向かうほど、重力方向側に位置するように傾く。熱交換器３には、排水路３９が接続されている。排水路３９は、排水供給路６を介して熱交換器３に送られた排水８５を排水する。
【００２９】
図２を参照して、ヒートポンプ部２１の構成について説明する。ヒートポンプ部２１は、流路２８２から流入する水８１を熱源として、当該水８１から汲み上げた熱を利用して、流路２８３から流入する水８１を加熱することで温水を生成するように構成されている。
【００３０】
ヒートポンプ部２１には、冷媒配管２１１、圧縮機２１２、冷媒−水熱交換器２１５、膨張弁２１４、冷媒−水熱交換器２１３が設けられている。冷媒配管２１１は、「圧縮機２１２→冷媒−水熱交換器２１５→膨張弁２１４→冷媒−水熱交換器２１３→圧縮機２１２」という冷媒回路における冷媒の通路を構成するように、圧縮機２１２、冷媒−水熱交換器２１５、膨張弁２１４、及び冷媒−水熱交換器２１３と接続されている。
【００３１】
膨張弁２１４は、冷媒−水熱交換器２１５を経た冷媒を膨張させるように構成されている。冷媒が膨張することによって、冷媒の温度が低下する。冷媒−水熱交換器２１３は、流路２８２から流入した水８１と膨張弁２１４によって膨張された冷媒との熱交換によって、水８１の熱を冷媒に吸収させるように構成されている。圧縮機２１２は、冷媒を圧縮するように構成されている。冷媒が圧縮されることによって、冷媒の温度が上昇する。冷媒−水熱交換器２１５は、圧縮機２１２によって圧縮された冷媒と、流路２８３から流入した水８１との熱交換を行うことで、水８１を加熱して温水を生成するように構成されている。生成された温水は、流路２８４を通って、浴槽３１（図１参照）に供給される。
【００３２】
図１を参照して、水８１が加熱されて、足湯に使用され、排出されるまでの一連の流れについて説明する。使用者は、手動弁９４を開く。コントロールユニット９３は、ポンプ９１を制御し、井戸９８の水８１を吸引する。水８１は、流路９２１、コントロールユニット９３内、及び流路９２２を介して、ヒートポンプシステム１の熱交換器３に供給される。
【００３３】
熱交換器３には、浴槽３１からの排水８５も流入する。排水８５の温度は、水８１より高い。熱交換器３は、熱交換により、水８１を温める。熱交換器３によって、例えば、１７度の水８１が３０度に温められる。
【００３４】
熱交換器３において温められた水８１は、流路６１を介して本体ユニット２の流入口２２に流入する。なお、流入口２２には、ポンプシステム９によって水圧が加えられた水８１が流入する。水圧が加えられているので、別途ポンプ等を設けなくても、本体ユニット２内を水８１が循環し、温水８３が浴槽３１に供給される。
【００３５】
流入口２２から流入した水８１は、流路２８１を介して分岐部２８８に到達する。水８１は、分岐部２８８において流路２８２及び流路２８３に流れるように分岐される。
【００３６】
流路２８２を流れる水８１は、冷媒−水熱交換器２１３に流入し、熱交換に利用される。冷媒−水熱交換器２１３において熱交換に利用された後の水８１は、流路２８５を介して、本体ユニット２の外部に排出される。
【００３７】
一方、流路２８３を流れる水８１は、冷媒−水熱交換器２１５に流入し、熱交換によって加熱され、温水となる。
【００３８】
操作パネル２５は、温度の設定情報を取得する。制御部２４は、操作パネル２５によって取得された温度の設定情報に基づいて、ヒートポンプ部２１による圧縮機２１２のインバータ制御やオンオフ制御等による加熱の温度制御を行なう。より詳細には、制御部２４は、温度センサ２７から浴槽３１内の温水８３の温度を取得する。温度センサ２７から取得した温度と、操作パネル２５から取得した設定情報に基づく温度とが同じ温度となるように、ヒートポンプ部２１による加熱の温度制御を行い、温水を浴槽３１に供給する。また、制御部２４は、電動弁２９２，２９４を制御し、流路２８５を流れる水８１の温度３０２及び流路２８４を流れる温水の温度３０３を制御する。ヒートポンプ部２１によって生成される温水の温度３０３は、例えば、５３度である。例えば、５３度の温水のかけ流しで、浴槽３１内の温水８３の温度を４３度に保つ。
【００３９】
ヒートポンプ部２１によって生成された温水は、流路２８４、供給口２３、及び流路３５を介して、浴槽３１に供給される。温水８３は、浴槽３１において、足湯用の温水として使用される。
【００４０】
温水８３が排水口３２から排水された排水８５は、排水供給路６を流れる。排水供給路６は、熱交換器３に向かうほど、重力方向に位置するように傾いている。このため、浴槽３１からの排水８５は、重力によって熱交換器３に流れる。排水８５は、熱交換器３による熱交換によって、水８１を温めることに使用され、排水路３９から排水される。
【００４１】
ヒートポンプ部２１の消費電力の一例について説明する。なお、熱交換器３が設けられていないものとして説明する。以下の式は、浴槽３１を土中に設置して断熱した場合の実験式である。
Ｑ１＝５８．１５Ａ（Ｔ３−Ｔ４）×１０＾（−３）
ここで、
Ａ    浴槽３１の表面積  ：  １．４ｍ２
Ｔ３  足湯の温水８３の温度  ：  ４３度
Ｔ４  浴室内温度        ：  １５度
Ｑ１  浴槽必要熱量      ：２．３ｋＷ
とする。上記の浴室内温度とは、浴槽３１が設置されている場所の環境温度である。
さらに、
足湯に供給される温水の温度３０３  ：  ５３度
必要給湯量  ：  ３．３Ｌ／ｍｉｎ
井戸９８の水８１の給水温度  ：  １５度
ヒートポンプ部２１必要な加熱熱量  ：  ８．７ｋＷ
想定ＣＯＰ  ：  ４．６
熱源量  ：  ７．８ｋＷ
熱源出口温度（流路２８５を流れる排水の温度）  ：  １０度
井戸９８の水８１の熱源流量（流路２８５を流れる排水の温度）：２２．３Ｌ／ｍｉｎ
井戸９８の水８１の合計水量  ：  ２５．６Ｌ／ｍｉｎ
とする。この場合、ヒートポンプ部２１の消費電力は、１．９ｋＷとなる。このように少ない消費電力１．９Ｗで高い加熱熱量８．７ｋＷが得られる。なお、熱交換器３を使用すれば、ヒートポンプ部２１の消費電力を低減することができる。
【００４２】
以上のように、本実施形態におけるヒートポンプシステム１及びポンプシステム９が構成され、足湯に利用される。本実施形態では、水圧が加えられた水８１が流入する流入口２２が本体ユニット２に設けられ、流入口２２から供給された水８１が加熱される。このため、本体ユニット２に、例えば、ポンプ等、水に圧力を加えてヒートポンプ部２１及び供給口２３に導く構成を設ける必要がない。よって、本体ユニット２を小型化及び軽量化することができる。故に、使用者は、本体ユニット２を持ち運び易くなり、様々な場所で簡単にヒートポンプシステム１を構築できる。よって、使用者の利便性が向上する。例えば、イベント会場又は街角などに本体ユニット２を設置して、足湯を提供することができる。
【００４３】
また、分岐部２８８が本体ユニット２に設けられ、流路２８１を、流路２８２と流路２８３とに分岐する。このため、１つの流入口２２から本体ユニット２に流入した水８１が、流路２８１を通って、分岐部２８８において流路２８２と流路２８３とに分岐される。そして、水８１は冷媒−水熱交換器２１３と冷媒−水熱交換器２１５とに供給され、水８１の加熱が行なわれる。すなわち、１つの流入口２２から本体ユニット２に水８１を流入させるだけで、水８１が分岐されて、冷媒−水熱交換器２１３と冷媒−水熱交換器２１５とに供給される。このため、１つの流入口２２に、水８１の流路を接続すればよいので、２つ以上の流入口に水の流路を接続する場合に比べて、本体ユニット２を使用して、簡単にヒートポンプシステム１を構築できる。よって、使用者の利便性が向上する。
【００４４】
また、電動弁２９２，２９４が設けられ、制御部２４によって水８１の流量及び温度が調整される。このため、本体ユニット２の外部に、電動弁２９２，２９４と、制御部２４とが設けられる場合に比べて、簡単に本体ユニット２を使用して、ヒートポンプシステム１を構築できる。よって、使用者の利便性が向上する。
【００４５】
また、ヒートポンプ部２１に水８１が供給される前に、熱交換器３において水８１が加熱される。このため、ヒートポンプ部２１が水８１を加熱する場合の消費電力が低減される。よって、ヒートポンプシステム１の運営コストが低減される。また、排水８５を利用して、熱交換によって水８１が加熱されるので、排水８５そのものを循環させる場合に比べて、清潔である。また、排水８５を循環させないので、いわゆる温水のかけ流しの足湯を提供することができる。
【００４６】
また、排水供給路６は、熱交換器３に向かうほど、重力方向に位置するように傾く。このため、重力を利用して、排水８５を熱交換器３に供給して、水８１の加熱に使用することができる。よって、排水８５を熱交換器３に供給するために別途ポンプ等を設ける場合に比べて、ヒートポンプシステムのコストを低減することができる。
【００４７】
また、本体ユニット２に操作パネル２５が設けられている。このため、本体ユニット２とは別に操作部を設置する場合に比べて、より簡単にヒートポンプシステム１を構築することができる。よって、使用者の利便性が向上する。
【００４８】
上記実施形態において、流路２８１は本発明の「第一流路」の一例である。流路２８２は本発明の「第二流路」の一例である。流路２８３は本発明の「第三流路」の一例である。冷媒−水熱交換器２１３は本発明の「第一熱交換器」の一例である。冷媒−水熱交換器２１５は本発明の「第二熱交換器」の一例である。電動弁２９４は本発明の「電動弁」の一例である。制御部２４は本発明の「電動弁制御部」及び「温度制御部」の一例である。熱交換器３は本発明の「熱交換部」の一例である。操作パネル２５は本発明の「操作部」の一例である。
【００４９】
なお、本発明は上記の実施形態に限定されるものではなく、種々の変更が可能である。例えば、操作パネル２５は、温度の設定情報の入力に使用されるが、他の種々の用途に使用されてもよい。例えば、操作パネル２５は、本体ユニット２から供給する温水の流量の設定情報の入力に使用されてもよい。この場合、制御部２４は、操作パネル２５から入力された流量の設定情報に基づいて、電動弁２９２，２９４を制御し、流量を調整してもよい。また、操作パネル２５は本体ユニット２とは別途設けられてもよい。また、操作パネル２５が設けられなくてもよい。この場合、本体ユニット２から供給される温水の温度が一定の温度に固定されていてもよい。また、温度センサ２７、温度センサ３０１〜３０３の少なくとも１つが設けられなくてもよい。
【００５０】
また、本体ユニット２の流入口２２に水圧が加えられた水８１が流入されればよく、ポンプシステム９が使用されなくてもよい。例えば、水道の蛇口から供給される水も、水圧が加えられているので使用できる。
【００５１】
また、ヒートポンプ部２１において、水８１の加熱が行なわれたが、冷却が行なわれてもよい。例えば、上記の「圧縮機２１２→冷媒−水熱交換器２１５→膨張弁２１４→冷媒−水熱交換器２１３→圧縮機２１２」という冷媒回路における冷媒が流れる順路を、逆順にすれば、ヒートポンプ部２１において、流路２８３から流入した水８１を冷却することができる。また、ヒートポンプ部２１において、水８１の加熱と冷却を組み合わせて、温度制御を行なってもよい。また、熱交換器３において、排水８５を使用して水８１の冷却が行なわれてもよい。また、熱交換器３が設けられなくてもよい。
【００５２】
また、ヒートポンプシステム１には、本体ユニット２のみが設けられていればよい。前述したように、本体ユニット２には、水圧が加えられた水が流入する流入口２２が設けられており、本体ユニットにポンプ等の水に圧力を加えてヒートポンプ部２１に導く構成が設けられていない。このため、本体ユニット２が小型かつ軽量である。よって、様々な場所に本体ユニット２を運び、様々な用途に使用することができる。例えば、本体ユニット２において加熱した温水を、寒冷地における水耕栽培用の温水として供給してもよい。ヒートポンプ部２１において、水８１を冷却するようにし、暖かい地域での水泳プール用又は水耕栽培用の水８１として供給してもよい。また、例えば、冷水風呂、又は野菜の冷却のための冷水かけ流し等で利用できる。本体ユニット２には、水圧が加えられた水８１が流入する流入口２２が設けられているので、本体ユニット２が設置された場所にある、水道、ポンプ等を利用して流入口２２から水８１を流入させるたけで、様々な用途に使用できるので、使用者にとって便利である。
【００５３】
また、電動弁２９２，２９４の少なくとも１つが設けられなくてもよい。また、電動弁は、流路２８１〜２８５の少なくとも１つに設けられてもよい。また、電動弁は、流路２８１〜２８３の少なくとも１つに設けられてもよい。このように、本体ユニット２の内部に電動弁が設けられ、制御部２４によって水８１の流量及び温度が調整される。このため、本体ユニット２の外部に、電動弁と、制御部２４とが設けられる場合に比べて、簡単に本体ユニット２を使用して、ヒートポンプシステム１を構築できる。よって、使用者の利便性が向上する。また、手動弁９４は、電動弁であってもよい。また、電源ボックス４は、発電機でもよいし、家庭用コンセントであってもよい。
【符号の説明】
【００５４】
１    ヒートポンプシステム
２    本体ユニット
３    熱交換器
６    排水供給路
２１    ヒートポンプ部
２２    流入口
２３    供給口
２４    制御部
２５    操作パネル
２７，３０１，３０２，３０３    温度センサ
８１    水
８３    温水
８５    排水
２１３    冷媒−水熱交換器
２１５    冷媒−水熱交換器
６１，２８１，２８２，２８３，２８４，９２１，９２２    流路
２８８    分岐部
２９２，２９４    電動弁
【図１】
2017194190.tif 000003
【図２】
2017194190.tif 000004